(57)【特許請求の範囲】
【請求項１】
物体が接触するタッチ領域を有する基板と、該基板上に配置された、各々が前記タッチ領域との間で音響波を送受する多数の傾斜線からなる反射アレイと、該反射アレイに向けて伝搬する音響波を生成する前記基板上に配置された音響波生成部と、前記タッチ領域への前記物体の接触による前記音響波の変化を検出する、前記基板上に配置された検出部とを備えた音響波型タッチパネルにおいて、
前記反射アレイによる前記音響波の反射により付随的に発生する不要波を減衰させる前記傾斜線より短い微小リフレクタのアレイが、前記傾斜線の少なくとも一端側において前記傾斜線の間に形成されていることを特徴とする音響波型タッチパネル。
【請求項２】
前記反射アレイの前記傾斜線の配列の間隔は、前記音響波の波長の整数倍に等しくなるように、かつ、前記傾斜線の対応する前記音響波生成部または前記検出部に近い側は比較的広く、前記音響波生成部または前記検出部から離れるに従って比較的狭くなるように構成されているとともに、前記微小リフレクタは、前記波長と略等しい間隔で、前記傾斜線間に配列されていることを特徴とする請求項１記載の音響波型タッチパネル。
【発明の詳細な説明】
【技術分野】
【０００１】
本発明は基板上に接触した指等の物体（ポインター）の接触位置を検出するのに使用されるタッチパネルに関し、特に基板表面を伝搬する超音波すなわち表面弾性波（音響波）を用いて、物体（ポインター）の接触位置を検出する音響波型タッチパネルに関するものである。
【背景技術】
【０００２】
超音波による音響波型タッチパネルは、例えば、パーソナルコンピュータの操作画面、駅の切符の自動販売機、コンビニエンスストアに設置された複写機、或いは金融機関の無人端末機等に使用されている。これらの音響波型タッチパネルにおいては、ガラス等の基板上に配置された圧電振動子（ピエゾ素子）を含むトランスデューサ（変換器）およびモード変換器が使用されている。このトランスデューサは、音響波を発射する発振器として使用されるが、タッチパネルに接触した指等により散乱された音響波を検出するセンサとしても使用される。
【０００３】
この音響波型タッチパネルの原理は、次のようなものである。発信側のトランスデューサによりバルク波として生成された超音波振動は、モード変換要素により表面弾性波に変換され、反射アレイによって反射されて基板の表面に伝搬する。トランスデューサおよび反射アレイは、通常、表面弾性波が基板のX軸方向とY軸方向に交差して伝播するように配置される。この表面弾性波が指等によりその経路をブロック（阻止）されると、音響波の経路は遮断され散乱される。それにより強度の低下した表面弾性波が検出手段としての受信側のトランスデューサに入射すると、電気信号として検出される。検出された電気信号は、タッチパネルとは別体のコントローラのクロック信号と照合されて、表面弾性波がブロックされた位置が特定される。
【０００４】
しかし、上記モード変換要素により表面弾性波に変換される際、全てが所定方向の表面弾性波となるわけではなく、また反射アレイにより反射される表面弾性波が所定方向に反射されるわけではない。これらの所定方向外の表面弾性波は、いわゆる不要波となる。この不要波は、基板上を反射しながら伝播してセンサ側すなわち受信側のトランスデューサに達し、トランスデューサを振動させて電圧を発生させる。この電圧は、ノイズとして受信され、コントローラの正常な判定を狂わすこととなる。
【０００５】
このような不要波により生じる問題を改善するために、従来種々の対策がなされている。例えば、その一例として、吸収材を反射アレイと逆向きのタッチパネルの基板面上に設けたものが知られている（特許文献１）。トランスデューサから発射される超音波は反射アレイに向けて発射されるが、反射アレイと逆方向に向く超音波の成分もあるので、吸収材は、この成分のエネルギーを減衰させるためのものである。この吸収材により反射アレイと反対側に向く不要な表面音響波が減衰され、乱反射してタッチ領域に伝播することが回避される。
【０００６】
また、他の例として、同様に弾性波を吸収する弾性体をタッチパネルの基板上に設けたものが知られている（特許文献２）。この従来のタッチパネルは、反射アレイを有せず、送信側圧電体と受信側圧電体が基板の両側で対向して配置されている。弾性体は、この送信側圧電体より基板端縁側に配置され、また、受信側圧電体より基板端縁側に配置されている。これにより、送信側圧電体から受信側圧電体とは逆に基板端縁側に向かう音響波が減衰される。また、送信側圧電体から受信側圧電体に到達した音響波は受信側圧電体を通過した後、弾性体により減衰されるので、基板の端縁から再び受信側圧電体側に反射されるのが阻止される。これにより有効に利用されるべき所定の音響波が不要波により干渉されるのが防止される。
【０００７】
また、さらに他の例として、反射アレイの領域の外側すなわち反射アレイより更に基板の端縁側に、不要波散乱手段として多数の傾斜線を有する拡散格子が形成されたタッチパネルが知られている（特許文献３）。この拡散格子の傾斜線に不要波としての音響波が達すると、音響波が乱反射されて減衰し受信側の変換器に達しないようになっている。この拡散格子は、反射アレイから基板端縁側に伝播した不要波を減衰させ、あるいは、発信側変換器から受信側変換器に向けて反射アレイの外側すなわち基板端縁近傍を伝播する不要波を減衰させるためのものである。
【特許文献１】特開昭６１−２３９３２２号公報（第１１頁、図２）
【特許文献２】特開２００３−５９０１号公報（第３頁、図２、図３）
【特許文献３】特開２００４−１６４２８９号公報（第５頁、図１、図１０）
【発明の開示】
【発明が解決しようとする課題】
【０００８】
上記従来の技術においては、反射アレイから物体が接触する基板面すなわちタッチ領域に向けて伝搬する不要波を間接的に減衰させて除去することしか考慮されていなかった。換言すると、反射アレイからタッチ領域に向けて不要波が伝搬することを防止することができなかった。
【０００９】
通常、反射アレイからタッチ領域に向けて反射される音響波は、反射アレイの傾斜線により音響波の入射方向すなわち傾斜線の配列方向に対し通常９０°方向に反射されるようになっている。しかし、全てが正確に９０°に反射されるわけではなく、実際には僅かに９０°からずれた方向に反射される音響波の成分も生じる。正確に９０°に反射されなかったこれらの成分は、不要波として、タッチ領域に伝搬すると、正規の音響波と異なった信号ノイズとなる。このノイズにより、指やペン等のポインターの接触位置がコントローラによって正確に認識されないいわゆる「座標飛び」と称される現象が生じることがある。
【００１０】
これらの座標飛びを防止するには、反射アレイからタッチ領域に向けて反射される音響波の不要波を、反射アレイ内での生成時点で除去しタッチ領域に向けて発射させないことが望ましい。前述の従来技術は、いずれも反射アレイから発射されてタッチ領域と反対側に向かう不要波、およびタッチ領域を通過した不要波を基板の端縁近傍で減衰させることはできるが、反射アレイの領域から不要波が発射されること自体を防止することはできていない。
【００１１】
本発明は、以上の点に鑑みてなされたものであり、反射アレイから不要波がタッチ領域に向けて反射されることを防止して、タッチ領域に接触する物体の位置を正確に検出し、座標飛びを防止することができる音響波型タッチパネルを提供することを目的とするものである。
【課題を解決するための手段】
【００１２】
本発明の音響波型タッチパネルは、物体が接触するタッチ領域を有する基板と、基板上に配置された、各々がタッチ領域との間で音響波を送受する多数の傾斜線からなる反射アレイと、反射アレイに向けて伝搬する音響波を生成する基板上に配置された音響波生成部と、タッチ領域への物体の接触による音響波の変化を検出する、基板上に配置された検出部とを備えた音響波型タッチパネルにおいて、反射アレイによる音響波の反射により付随的に発生する不要波を減衰させる傾斜線より短い微小リフレクタのアレイが、傾斜線の少なくとも一端側において傾斜線の間に形成されていることを特徴とする。
【００１３】
傾斜線の間隔は、波長の整数倍に配列されていることが好ましい。
【００１４】
また、反射アレイの傾斜線の配列の間隔は、音響波の波長の整数倍に等しくなるように、かつ、傾斜線の対応する音響波生成部または検出部に近い側は比較的広く、音響波生成部または検出部から離れるに従って比較的狭くなるように構成されているとともに、微小リフレクタは、波長と略等しい間隔で、傾斜線間に配列されていることが好ましい。
【００１５】
また、音響波生成部、検出部は、それぞれトランスデューサおよびモード変換要素を含むことができる。
【００１６】
また、微小リフレクタは、印刷により反射アレイの傾斜線とともに形成することができる。
【発明の効果】
【００１７】
本発明の音響波型タッチパネルは、基板と、多数の傾斜線を有する反射アレイと、音響波生成部と、検出部とを備えており、反射アレイによる音響波の反射により付随的に発生する不要波を減衰させる傾斜線より短い微小リフレクタのアレイが、傾斜線の少なくとも一端側において傾斜線の間に形成されているので、次の効果を奏する。
【００１８】
すなわち、反射アレイで不要波が生成される時点で、微小リフレクタのアレイにより不要波が減衰され、これにより反射アレイから不要波がタッチ領域に向けて反射されることを防止して、タッチ領域に接触する物体の位置を正確に検出し、座標とびを防止することができる。
【００１９】
また、反射アレイの傾斜線の配列の間隔が、音響波の波長の整数倍に等しくなるように、かつ、傾斜線の対応する音響波生成部または検出部に近い側は比較的広く、音響波生成部または検出部から離れるに従って比較的狭くなるように構成されているとともに、微小リフレクタが、波長と略等しい間隔で、傾斜線間に配列されている場合は、不要波が微小リフレクタにより効果的に減衰されて、タッチ領域に有効な音響波を伝搬させることができる。
【発明を実施するための最良の形態】
【００２０】
以下、本発明の音響波型タッチパネル（以下、単にタッチパネルという）の好ましい実施の形態について、添付図を参照して詳細に説明する。図１は本発明の一例となるタッチパネル１の全体を示す正面図である。タッチパネル１は、矩形のガラス基板（以下、単に基板という）２を有する。基板２の表面２ａ（図１の紙面の手前側の面）には、反射アレイ６（６ａ、６ｂ、６ｃ、６ｄ）が全体としてタッチ領域１２を囲むように概ね矩形状に形成されている。これらの反射アレイ６（６ａ、６ｂ、６ｃ、６ｄ）は、基板２の四つの端縁４（４ａ、４ｂ、４ｃ、４ｄ）近傍に、これらの端縁４に平行にそれぞれ対応して形成されている。各反射アレイ６には、表面弾性波すなわち音響波を反射するために多数の傾斜した突条すなわち傾斜線８が形成されている。これらの傾斜線８は、鉛ガラスの微粉末をペースト状にしたものをスクリーン印刷等により基板２上に印刷した後、焼結したものである。
【００２１】
基板２の表面２ａ（図４（ａ））には、音響波の発信側となるグレーティングすなわちモード変換要素１０ｂ、１０ｃが、基板２の対角位置にある隅部に配置されている。また、基板２の裏面（図４（ａ））側には、モード変換要素１０ｂ、１０ｃに対応してトランスデューサ３０（図４）が配置されているが、図１では省略している。モード変換要素１０ｂ、１０ｃは、それぞれ対応する反射アレイ６ｂ、６ｃに向けて音響波を発射するように配置されている。また、他の隅部すなわち端縁４ａ、４ｄにより画成される基板２の隅部には、受信側となるモード変換要素１０ａ、１０ｄが配置されている。モード変換要素１０ａ、１０ｄは、それぞれ反射アレイ６ａ、６ｄに対応している。これらモード変換要素１０a、１０ｂ、１０ｃ、１０ｄを総括してモード変換要素１０という。モード変換要素１０の構造については後述する。また、基板２の裏面２ｂに配置されたトランスデューサ３０についても後述する。
【００２２】
このように構成された基板２の表面２ａのタッチ領域１２に音響波が伝搬されるが、この原理について概略を説明する。発信側のモード変換要素１０ｂから反射アレイ６ｂに伝搬した音響波は、例えば経路１４ａ、１４ｂ、１４ｃを通って受信側のモード変換要素１０ａに達する。タッチ領域１２を横断する経路１４ｂは一例であり、実際は、経路１４ｂと平行に反射アレイ６ｂの全長に亘って多数の経路が形成されている。すなわち反射アレイ６ｂの各傾斜線８は、経路１４ａを通る音響波の一部（約0.5〜1％）を反射アレイ６ａに向けて反射するように約４５°の角度で形成されている。また、反射アレイ６ｂに対向する反射アレイ６ａの傾斜線８は、経路１４ｂを通って入射した音響波をモード変換要素１０ａに伝播させるように約４５°に傾斜している。
【００２３】
また、反射アレイ６ｂにおいて、経路１４ｂと平行にタッチ領域１２を伝搬する音響波の強度が均一になるように、傾斜線８の間隔は、モード変換要素１０ｂに近いほど広く設定され、離れるに従って狭くなるように設定されているが、波長の整数倍に等しい。傾斜線８の配置密度は、モード変換要素１０ｂから離れるに従って指数関数的に増加する。同様に対応する反射アレイ６ａの傾斜線８もモード変換要素１０ａに近いほどその間隔が広く設定されている。このように反射アレイ１６ｂと反射アレイ１６ａは、互いに略対称的な形状を有する。
【００２４】
また、他の発信側のモード変換要素１０ｃから反射アレイ６ｃに伝搬する音響波も、一例として示す経路１６ａ、１６ｂ、１６ｃを通って受信側のモード変換要素１０ｄに達するように構成されている。反射アレイ６ｃおよび対応する反射アレイ６ｄの傾斜線８も、反射アレイ６ａ、６ｂと同様な対称な関係に配置されている。なお、タッチ領域１２をＸ軸方向、Ｙ軸方向とそれぞれ平行に横断する経路を、総括してそれぞれ経路１６、１４というものとする。タッチ領域１２内で指等の物体が基板２に接触した場合は、経路１４、１６のうち物体により遮断される経路の信号の変化が受信側のトランスデューサ（図示せず）で検出され、その遮断位置すなわち物体の接触位置が判定される。
【００２５】
次に、前述の反射アレイ６について、図２および図３を併せて参照して更に詳細に説明する。図２および図３は、それぞれ図１の矢視II、矢視IIIの領域における反射アレイ６ｃの部分拡大図であり、時計回りに９０°回転した状態で示されている。傾斜線８は、前述の如く、矢視IIの部分では間隔が広く、矢視IIIの部分では狭くなっているのが明瞭に示されている。ここで重要なことは、反射アレイ６ｃの矩形の領域の長辺に沿ってすなわちＹ軸と平行に、傾斜線８より短い微小リフレクタ（不要波減衰部）１８の列２０、２２が形成されていることである。微小リフレクタ１８は、反射アレイ６ｃの領域の両側すなわちタッチ領域１２側の内側と、端縁４ｃ近傍の外側に配列され、且つ反射アレイ６ｃの領域内に位置する。これらの微小リフレクタ１８は、傾斜線８と同様にスクリーン印刷等の手法で傾斜線８と同じ方向の傾斜を有するように形成される。これら微小リフレクタ１８の、Ｘ軸方向に沿う寸法ｌは、例えば、約０．５ｍｍに設定される。また、傾斜線８の、Ｘ軸方向に沿う寸法Ｌは、例えば、約６ｍｍに設定される。微小リフレクタ１８は、反射アレイ６と同じ手法で同時に形成することができるので、新たな材料、工程を付加しなくてもタッチパネル１を製造することが可能である。
【００２６】
図２で示す微小リフレクタ１８は、傾斜線８の間隔が比較的広い疎領域では、隣接する傾斜線８の間に３〜４個が音響波の波長と等しい間隔で配置されている。しかし、必ずしも全ての微小リフレクタ１８の間隔が、正確に波長と等しい間隔でなくともよく、僅かにずれていてもよく、波長の２倍であってもよく、あるいは部分的に抜けていてもよい。他方、図３に示す傾斜線８の間隔の狭い密領域では、複数の傾斜線８からなる、例えばグループ２８ａ、２８ｂ間に１対の微小リフレクタ１８が配置された構成となっている。反射アレイ６ｃの疎領域で反射される音響波は、傾斜線８の間隔が広いため、この間から不要波が多く発生する。従って、このような不要波に対処するため疎領域では、隣接する傾斜線８間に複数の微小リフレクタ１８が配置されている。微小リフレクタ１８について、反射アレイ６ｃを参照して説明したが、他の反射アレイ６ａ、６ｂ、６ｄについても同様に形成されている。すなわち各反射アレイ６の長辺に沿って両側に微小リフレクタ１８が形成されている。
【００２７】
次に、これら微小リフレクタ１８の作用について説明する。図２に示すように、モード変換要素１０ｃから矢印２４で示す方向に伝搬する音響波は、例えば、９９〜９９．５％が反射アレイ６ａの各傾斜線８を通過する。換言すると、各傾斜線８で音響波は、０．５〜１％ずつ反射アレイ６ｃを通過中に漸減するようになっている。図２に示すように、傾斜線８で矢印２４方向に対し９０°の角度で反射された音響波は、内側へ向かう成分２６ａとしてタッチ領域１２に伝搬する。しかし一部は、成分２６ａとは逆側に外側に向かう成分（不要波）２６ｂとして反射される。また、内側に向う成分についても成分２６ａの他に、９０°付近の鈍角方向、あるいは鋭角方向にそれぞれ反射された不要波となる音響波の成分２６ｃ、２６ｄが存在する。これらの音響波の成分２６ｃ、２６ｄは、反射アレイ６ｃからタッチ領域１２に発射される前に微小リフレクタ１８により反射され、あるいは透過する際に減衰され、さらに他の微小リフレクタ１８との間で反射を反復して、強度的に問題のないレベルまで減衰するようになっている。また、外側方向に伝搬する成分２６ｂも不要波であるが、これも外側の列の微小リフレクタ１８により反射が反復されて減衰する。従って、反射アレイ６ｃの領域から外側に伝搬する不要波も問題ないレベルまで強度が極めて低減される。従って、反射アレイ６ｃの領域の傾斜線８によって反射されてタッチ領域１２に伝搬する音響波は、不要波がほとんど問題ないレベルまで低減されたものとなる。
【００２８】
このように、各反射アレイ６の領域の内側と外側に微小リフレクタ１８を配置することにより不要波はきわめて低減されるが、特に、微小リフレクタ１８をタッチ領域１２側に配置した場合に、タッチ領域１２に発射される不要波を直接的に防止するので、特にその効果が顕著である。
【００２９】
図３に示す傾斜線８が高密度で配置されている場合は、いくつかの傾斜線８が近接した、例えば２８ａで示すグループと、隣接する同様な他のグループ２８ｂとの間に微小リフレクタ１８が１対配置されている。この領域における微小リフレクタ１８の機能も前述の疎領域における微小リフレクタ１８の機能と同じである。
【００３０】
図２および図３に示されるように、傾斜線８および微小リフレクタ１８により形成される配列の間隔は、音響波の波長の整数倍であることが重要である。本実施形態では、１波長の間隔で配置されている。これにより音響波の回折作用で９０°以外の斜め方向の音響波すなわち不要波が乱反射するとともに互いに打ち消しあって不要波の強度が最小になるように設計されている。
【００３１】
次に、図４を参照して、音響波を発生する構造について概略を説明する。図４は、音響波の発生のメカニズムを説明するモード変換要素１０ｃの図であり、図４（ａ）は、図１の領域IVの基板２の断面を部分的に示す部分拡大断面図、図４（ｂ）は、モード変換要素１０ｃを示す拡大平面図をそれぞれ示す。図４（ａ）に示すように、タッチパネル１の基板２の上面２ａには、微小な高さを有する複数の平行な突条１１からなるモード変換要素１０ｃが形成されている。このモード変換要素１０ｃに対応する基板２の裏面２ｂには、トランスデューサ３０が取り付けられている。トランスデューサ３０から発生するバルク波は基板２内を通過してモード変換要素１０ｃで音響波に変換され反射アレイ６ｃに向けて伝搬される。これらモード変換要素１０ｃ、トランスデューサ３０を併せて音響波生成部という。この構造は、他の発信側のモード変換要素１０ｂ（図１）および受信側のモード変換要素１０ａ、１０ｄについても同様である。受信側のトランスデューサは、バルク波の発生手段ではなく、音響波の検出手段となる。これら受信側のモード変換要素１０ａ、１０ｄおよびトランスデューサを検出部という。
【００３２】
次に、図５を参照して本発明の特徴について説明する。図５は、本発明の特徴を示すタッチパネル１の概念図である。図５に示すように、本発明のタッチパネル１では、反射アレイ６ｃの領域から伝搬される音響波のうち、９０°方向に反射される成分２６ａすなわち有効に使用される成分が多い。これは、９０°以外の方向の他の不要波３１、３２が極めて少なく、成分２６ａが不要波３１、３２によって干渉されることが回避されるためである。これに対し、従来の微小リフレクタ１８がない場合の９０°方向の成分２６ａ’は、他の不要波３１’、３２’が多いため、これらの不要波３１’、３２’により干渉されて有効に使用される成分２６ａ’が少なくなる。このように本発明においては、タッチ領域１２に伝搬する不要波３１、３２は、反射アレイ６ｃから発射される段階で、前述の如く低減されるので、タッチ領域１２には有効な音響波が伝搬する。
【００３３】
このように音響波の相違がある状態で実際にタッチ領域１２に、例えば指を触れた場合の、音響波の変化について、図６および図７を参照して説明する。図６は、微小リフレクタ１８がない状態の音響波の変化を示すグラフであり、図７は、微小リフレクタ１８を有する場合の音響波の変化を示すグラフである。各グラフにおいて、横軸はＹ軸方向に沿う時間の推移を示し、縦軸は音響波の強度を示す。単位は、それぞれ１０マイクロ秒、５００ｍＶである。
【００３４】
図５に示すタッチパネル１において、３４で示す接触位置に指を置いた場合について説明する。この接触位置３４は、微小リフレクタ１８がない従来のタッチパネルの場合、グラフの凹み３６（図６）として表れる。すなわち指によって音響波が遮られてその位置での音響波の強度が低下したことを示している。接触位置３４から更に指をＸ軸に沿って矢印３８で示す方に移動して、例えば接触位置４０に位置させると、Ｙ軸方向の位置は変わらないので、図６に示すグラフでは、グラフの曲線の他の部分に変化が生じないはずであるが、実際は３７で示すように時間遅れで再度凹み３７が表れる。このことは、指の位置が実際とは異なって、Ｙ軸方向にも移動していると判定されていることを意味する。この座標飛びの現象は、微小リフレクタ１８がないために反射アレイから９０°以外の方向に発射された音響波すなわち不要波が乱反射されて接触位置４０に位置する指により遮られた後、受信部にあるトランスデューサにより受信されたことによるものである。この結果、実際に指が接触した位置とは異なる位置に接触したものとして、タッチパネルを使用した機器に入力されてしまう。
【００３５】
本発明においては、微小リフレクタ１８により反射アレイ６ｃから発射される、不要波は大幅に低減されるため、図７に示すように、指が接触位置３４にあるときに凹み４２が表れるだけであり、指をＸ軸方向に沿って移動させても曲線に凹みは生じず、不要波による影響は見られない。なお、図６、図７において凹み３６、３７、４２の上に見られる曲線４４、４６は、指をタッチしない状態のトランスデューサの出力を示すものである。
【００３６】
以上、本発明の実施形態について説明したが、上記実施形態に限定されるものではなく、種々の変形、変更が可能であることはいうまでもない。例えば、上記実施形態では、モード変換要素１０としてグレーティングが使用されているが、ウェッジすなわち三角錐型、櫛歯電極（ＩＤＴ）型の変換器等の他の変換器でもよい。
【００３７】
また、上記実施形態では、１対の対向して配置される反射アレイ６を２対使用して、タッチ領域１２を囲むように構成してあるが、このような配置に限定されるものではない。例えば、受信側の反射アレイ６を使用せずに、基板２の端縁４で音響波を１８０°反転させた場合は、音響波の送信と受信は１つの反射アレイ６で構成することができる。従って、この場合は基板に直角に配置された２つの反射アレイ６でタッチ領域１２を構成することができる。また、タッチ位置を１軸上の情報に限定した場合は、Ｘ軸またはＹ軸の１軸だけのタッチ領域１２を構成することができる。このようなタッチパネルの変形例においても、本発明の概念を有効に用いることができる。
【００３８】
また、上記実施形態は、各反射アレイ６の領域の両側に微小リフレクタ１８を形成した場合であるが、いずれか片側に形成してもよい。特に、発信側の反射アレイ６ｂ、６ｃについては、前述のごとくタッチ領域１２側の長辺に設けた場合が有効である。また、受信側の反射アレイ６ａ、６ｄについては、それぞれ端縁４ａ、４ｄ側に設けた場合が、端縁４ａ、４ｄで反射される不要波を低減するので有効である。また、これらの微小リフレクタ１８の配置の組合せを適宜変更して設定できることは言うまでもない。
【図面の簡単な説明】
【００３９】
【図１】本発明の一例となる音響波型タッチパネルの全体を示す正面図
【図２】図１の矢視IIの領域における反射アレイの部分拡大図
【図３】図１の矢視IIIの領域における反射アレイの部分拡大図
【図４】音響波の発生のメカニズムを説明するモード変換要素の図であり、（ａ）は、図１の領域IVで示す部分の基板の断面を部分的に示す部分拡大断面図、（ｂ）は、モード変換要素の拡大平面図をそれぞれ示す。
【図５】本発明の特徴を示す音響波型タッチパネルの概念図
【図６】従来の微小リフレクタがない状態の音響波の変化を示すグラフ
【図７】本発明の微小リフレクタを有する場合の音響波の変化を示すグラフ
【符号の説明】
【００４０】
１    音響波型タッチパネル
２    基板
８    傾斜線
６ａ、６ｂ、６ｃ、６ｄ    反射アレイ
１０ｃ、１０ｂ、３０    音響波生成部
１０ａ、１０ｄ    検出部
１２    タッチ領域
１８    微小リフレクタ（不要波減衰部）
２６ｂ、２６ｃ、２６ｄ    不要波
【図１】
0004809130.tif 000002
【図２】
0004809130.tif 000003
【図３】
0004809130.tif 000004
【図４】
0004809130.tif 000005
【図５】
0004809130.tif 000006
【図６】
0004809130.tif 000007
【図７】
0004809130.tif 000008